(57)【要約】【課題】ゴミの減量化、資源の有効利用を図り得るポンプ付き薄肉容器を提案する。【解決手段】内容物の充填空間を区画形成するとともに内容物の排出に伴って減容可能な薄肉の容器本体１と、この容器本体１の口部１ａを通して充填空間の上部に吊り下げ保持され、エアシリンダー2ａ内でエアピストン２ｂを往復移動させることによって充填空間Ｍ内に圧縮されたエアを供給するエアポンプ２とを備えたポンプ付き薄肉容器において、前記エアシリンダー２ａに、エアを容器本体１内に噴出させる時にのみ開放する逆止弁４と、エアピストン２ｂの往復移動中のみに開放され、該エアシリンダーにおけるエアピストン２ｂの後部空間を通して容器本体１の充填空間Ｍと外界とを連通させて充填空間Ｍ内の過剰なエアを容器の外側へ向けて放出する開孔５を設ける。【選択図】図１
2010235129.tif 000002
【特許請求の範囲】
【請求項１】
内容物の充填空間を区画形成するとともに内容物の排出に伴って減容可能な薄肉の容器本体と、この容器本体の口部を通して充填空間の上部に吊り下げ保持され、エアシリンダー内でエアピストンを往復移動させることによって充填空間内に圧縮されたエアを供給するエアポンプとを備えたポンプ付き薄肉容器であって、
前記エアシリンダーに、エアを容器本体内に噴出させる時にのみ開放する逆止弁と、エアピストンの往復移動中のみに開放され、該エアシリンダーにおけるエアピストンの後部空間を通して容器本体の充填空間と外界とを連通させて充填空間内の過剰なエアを容器の外側へ向けて放出する開孔を設けたことを特徴とするポンプ付き薄肉容器。
【請求項２】
前記エアシリンダーの径方向内側に容器本体内の内容物を噴出させる液用ポンプを設け、該液用ポンプは、内容物を吸引する液用シリンダーと、この液用シリンダー内でエアピストンと同期して吸引にかかる内容物を加圧する円筒状の液用ピストンと、この液用ピストンに連係する中空ステムと、この中空ステムにつながり、加圧された内容物を噴出させるノズルヘッドとを備える、請求項１記載のポンプ付き薄肉容器。
【発明の詳細な説明】
【技術分野】
【０００１】
本発明は、内容物の充填容量が減るにしたがい外観形状が変形して減容していく薄肉の容器本体を備えたポンプ付き薄肉容器に関するものであり、内容物の充填容量が減った場合であっても容器本体の外観形状の変形、減容化を抑制し容器の自立性、美観を確保しようとするものである。
【背景技術】
【０００２】
化粧料や整髪料、シャンプーあるいはリンス等を入れる容器としては、ハンディータイプや据え置きタイプに関わらずポンプを装着したものが多数上市されており、これにより容器内の内容物を衛生的、かつ効率的に注出することができるようになっている。
【０００３】
ところで、最近、この種の容器にあっては資源の有効活用、ゴミの減量化を図る観点から容器そのものの肉厚を薄くすることが求められているところ、容器の薄肉化は自立性の確保を困難にするとともに、外観形状を損なう原因にもなる等、種々の問題を生じさせることからその実現を図るにも限界があった。
【０００４】
この点に関する先行技術としては、内容物を入れる容器を柔軟な袋状の容器体とし、この容器体を内側に納める外ケース体を備えた液体吐出器が知られている（例えば、特許文献１参照）。しかし、かかる液体吐出器では外ケース体を別途に用意する必要があり、また、袋状の容器体を取替えるだけですむとはいえ、その取替え作業が煩雑であり使い勝手がよいとはいえない。
【先行技術文献】
【特許文献】
【０００５】
【特許文献１】実開平５−３４１６７号公報
【発明の概要】
【発明が解決しようとする課題】
【０００６】
本発明の課題は、外ケース体等の余計な部材を不要とし、内容物の充填容量が少なくなっても自立性や外観形状を損なうことのないポンプ付き薄肉容器を提案するところにある。
【課題を解決するための手段】
【０００７】
本発明は、内容物の充填空間を区画形成するとともに内容物の排出に伴って減容可能な薄肉の容器本体と、この容器本体の口部を通して充填空間の上部に吊り下げ保持され、エアシリンダー内でエアピストンを往復移動させることによって充填空間内に圧縮されたエアを供給するエアポンプとを備えたポンプ付き薄肉容器であって、
前記エアシリンダーに、エアを容器本体内に噴出させる時にのみ開放する逆止弁と、エアピストンの往復移動中のみに開放され、該エアシリンダーにおけるエアピストンの後部空間を通して容器本体の充填空間と外界とを連通させて充填空間内の過剰なエアを容器の外側へ放出する開孔を設けたことを特徴とするポンプ付き薄肉容器である。
【０００８】
上記の構成になるポンプ付き薄肉容器においてはエアシリンダーの径方向内側に容器本体内の内容物を噴出させる液用ポンプを設けることができる。液用ポンプとしては、内容物を吸引する液用シリンダーと、この液用シリンダー内でエアピストンと同期して吸引にかかる内容物を加圧する液用ピストンと、この液用ピストンに連係する中空ステムと、この中空ステムにつながり、加圧された内容物を噴出させるノズルヘッドとを備える構成になるものが有利に適合する。
【発明の効果】
【０００９】
ノズルヘッドを押圧してエアポンプを作動させると、該エアポンプにより容器本体内にエアが供給されるため、内容物の残量にかかわりなく容器本体は初期の外観形状を保つこととなり、肉厚が薄い容器であっても形状変形を起こすことがなく、自立性が確保されるとともに美観が維持される。
【図面の簡単な説明】
【００１０】
【図１】本発明にしたがうポンプ付き薄肉容器の実施の形態を示した図である。
【図２】ノズルヘッドを押し込んだ状態を示した図である。
【発明を実施するための形態】
【００１１】
以下、図面を参照して本発明をより具体的に説明する。
図１は本発明にしたがうポンプ付き薄肉容器の実施の形態を示したものである。
【００１２】
図における１は内容物の充填空間Ｍを区画形成するとともに内容物の排出に伴って減容できる薄肉の容器本体である。
【００１３】
また、２は充填空間Ｍ内にエアを供給するエアポンプである。このエアポンプ２は、容器本体１の口部１ａを通して充填空間Ｍの上部に吊り下げ保持されるエアシリンダー２ａと、このエアシリンダー２ａ内で往復移動可能なエアピストン２ｂから構成されている。
【００１４】
エアポンプ２のエアシリンダー２ａは、ディスク状の底壁２ａ１と、この底壁２ａ１の外縁部につながりその内側にエアの加圧、圧縮空間を形成する周壁２ａ２からなっている。また、エアピストン２ｂはエアシリンダー２ａの内壁に沿って摺動しながら移動するディスクタイプのスライダー２ｂ１と、このスライダー２ｂ１の縁部に一体的に形成された摺動部材２ｂ２とから構成され、その中心部には中空ステムが挿通された例で示した筒体２ｂ３が形成されている。
【００１５】
３はエアピストン２ｂのスライダー２ｂ１と筒体２ｂ３との間に設けられ、エアシリンダー２ａ内に外気（エア）を導入するときにのみ開放する外気導入弁、４はエアシリンダー２ａの底壁２ａ１に設けた例で示した逆止弁である。この逆止弁４は、エアシリンダー２ａ内で圧縮されたエアを容器本体１内に噴出させる時にのみ開放する。
【００１６】
５はエアシリンダー２ａの周壁２ａ２に設けられた開孔である。この開孔５はエアピストン２ｂの摺動部材２ｂ２によってポンプの非作動時に塞がれる位置に設けられるものであって、エアピストン２ｂの往復移動中のみに開放され、エアポンプ２における該エアピストン２ｂの背面側の空間、すなわちエアシリンダー２ａにおけるエアピストン２ｂの後部空間を通して容器本体１の充填空間Ｍと外界とを連通させて充填空間Ｍ内の過剰なエアを容器の外側へ向けて放出する。
【００１７】
また、６はエアシリンダー２ａの径方向内側で同心二重配置となるように設けられた液用ポンプである。この液用ポンプ６は、内容物を吸い込むための吸い込み口ｈを有し、吸い込みにかかる内容物を加圧、圧縮する液用シリンダー６ａ（エアポンプ２のエアシリンダー２ａと一体に成形されている）と、この液用シリンダ−６ａでエアピストン２ｂと同期して吸引にかかる内容物を加圧する円筒状の液用ピストン６ｂと、この液用ピストン６ｂの上部において連係（一体に形成されている）する中空ステム６ｃと、液用シリンダー６ａの下端に配置されるポペット６ｄと、液用ピストン６ｂを弾性支持するスプリング６ｅと、吸い込み口ｈに配置された吸込弁（逆止弁）６ｆから構成されている。
【００１８】
７は中空ステム６ｃにつながり、容器本体１内の内容物を液用シリンダー６ａ、中空ステム６ｃを通して噴出させるノズルヘッドである。
【００１９】
ノズルヘッド７はその外周壁にノズル７ａが設けられており、該ノズルヘッド７の押し込みと復帰操作を繰り返すことによってエアポンプ２及び液用ポンプ６を作動させるものであって、これによって充填空間Ｍ内の内容物を外界へと噴出させるとともに容器本体１内にエアを噴出させて容器の外観形状を初期形状に保持する。
【００２０】
８は中空ステム６ｃの噴出経路内に配置されたボールタイプの吐出弁（逆止弁）、９は液用ポンプ６の吸引口ｈにつながり容器本体１の底部へ向けて伸延する吸引管である。
【００２１】
吸引管９は図１に示した如く下端を容器本体１の底部に当接させて、該下端の周壁部分に内容物を流入させる切欠部９ａを形成しておくことができ、この切欠部９ａから内容物を流入させることが可能であって、吸引管９の下端を容器本体１の底部に接触させて容器本体１の柱として機能させることができる。
【００２２】
さらに、１０は液用ポンプ６をエアポンプ２とともに容器本体１の口部１ａに固定保持するベースキャップである。ベースキャップ１０は容器本体１の口部１ａの外側壁に係合するねじ部を有する周壁１０ａと、この周壁１０ａの上端に一体連結して下向きに開放された空間領域を形成する天壁１０ｂと、この天壁１０ｂの中央部にて垂下され、中空ステム６ｃを挿通させるガイド筒１０ｃとから構成されており、エアポンプ２を形成するエアシリンダー２ａの周壁２ａ２の上部が該環状溝ｅに嵌り込んでいる。
【００２３】
周壁２ａ２の外側壁にはフランジ部が形成されており、ベースキャップ１０の内面の段部と容器本体１の口部１ａの先端部との間でパッキンの如きシール部材を介して前記フランジ部を挟持し、これによって液用ポンプ６をエアポンプ２とともに容器本体１の口部１ａに固定する。
【００２４】
ノズルヘッド７を最も押し込んだ図２に示すような状態で押し込みにかかる力を取り除くと、液用ポンプ６のスプリング６ｅの付勢力によって中空ステム６ｃは押上げられ、エアピストン２ｂは液用ピストン６ｂとともに上方へと移動することなり図１に示したような初期姿勢へと復帰する。この時、液用シリンダーン６ａ内が負圧になるため、充填空間Ｍ内の内容物は吸引管９、吸引口ｈを通して該液用シリンダー６ａ内に吸引される一方、エアポンプ２では、中空ステム６ｃとベースキャップ１０との相互間に形成された隙間（図示せず）及び外気導入弁３を通してエアピストン２ｂより下方のエアシリンダー２ａ内にエアが導入される。
【００２５】
ノズルヘッド７が初期姿勢に復帰した後、再びノズルヘッド７を押し込むと、液用シリンダー６ａ内の内容物は加圧されて中空ステム６ｃの噴出経路を経てノズルヘッド７のノズル７ａから外界へと噴出する（図２参照）。また、エアシリンダー２ａ内のエアは加圧されて逆止弁４を通して容器本体１内へ噴出される。容器本体１内へのエアの供給により該容器本体１は常に初期の外観形状に保たれることとなり、薄肉容器であっても内容物を使い切るまで自立性が確保されるとともに外観形状が安定的に維持される。
【００２６】
本発明にしたがうポンプ付きの薄肉容器は、容器本体１を構成する原料の使用量が少なくてすみゴミの減量に有効であり、廃棄に際しては小さくまとめることができるのでかさばることもない利点がある。
【産業上の利用可能性】
【００２７】
資源の有効利用、ゴミの減量化が可能で、容器本体の外観形状を安定的に保持可能なポンプ付き薄肉容器が提供できる。
【符号の説明】
【００２８】
１      容器本体
１ａ    口部
２      エアポンプ
２ａ    エアシリンダー
２ｂ    エアピストン
３      外気導入弁
４      逆止弁
５      開孔
６      液用ポンプ
６ａ    液用シリンダー
６ｂ    液用ピストン
６ｃ    中空ステム
６ｄ    ポペット
６ｅ    スプリング
６ｆ    吸入弁
７      ノズルヘッド
８      吐出弁
９      吸引管
９ａ    切欠部
１０    ベースキャップ
１０ａ  周壁
１０ｂ  天面壁
Ｍ      充填空間
ｈ      吸い込み口
ｅ      環状溝
【図１】
2010235129.tif 000003
【図２】
2010235129.tif 000004